【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
映像信号を符号化処理する符号化装置において、
上記映像信号のＧＯＰ内に、上記映像信号を再生する際の頭出し点があるかを判定する判定手段と、
上記判定手段により上記頭出し点があると判定された場合、上記ＧＯＰ内において上記頭出し点に相当するピクチャの位置を検出する検出手段と、
上記ＧＯＰ内の上記頭出し点に相当するピクチャの位置に応じてピクチャ毎に予め設定された複数のカットシーケンスパターンの中から、上記検出手段により検出された位置に対応するカットシーケンスパターンを選択する選択手段と、
上記選択手段により選択されたカットシーケンスパターンに従って、上記映像信号からカットシーケンスを構成して、上記映像信号を符号化処理する符号化手段と
を有する符号化装置。
【請求項２】
上記カットシーケンスは、上記頭出し点に相当するピクチャが表示順にみて新たなＧＯＰの先頭になるように区切りが決定された上記新たなＧＯＰの間において、符号化に伴う参照予測を必要としないように上記新たなＧＯＰ内におけるピクチャのピクチャタイプを再構成することによって構成される符号化シーケンスである
請求項１に記載の符号化装置。
【請求項３】
上記カットシーケンスは、上記新たなＧＯＰ内において上記頭出し点に相当するピクチャをＩピクチャとして符号化処理するようにピクチャタイプが決定され、上記頭出し点に相当するピクチャを含む新たなGOPの直前の新たなＧＯＰにおいて表示順にみた最後のピクチャをＰピクチャとして符号化処理するようにピクチャタイプが決定された符号化シーケンスである
請求項２に記載の符号化装置。
【請求項４】
映像信号を符号処理して記録媒体に記録する記録装置において、
上記映像信号のＧＯＰ内に、上記映像信号を再生する際の頭出し点があるかを判定する判定手段と、
上記判定手段により上記頭出し点があると判定された場合、上記ＧＯＰ内において上記頭出し点に相当するピクチャの位置を検出する検出手段と、
上記ＧＯＰ内の上記頭出し点に相当するピクチャの位置に応じてピクチャ毎に予め設定された複数のカットシーケンスパターンの中から、上記検出手段により検出された位置に対応するカットシーケンスパターンを選択する選択手段と、
上記選択手段により選択されたカットシーケンスパターンに従って上記映像信号のカットシーケンスを構成して、上記映像信号を符号化処理する符号化手段と、
上記符号化手段により符号化処理されたデータを記録媒体に記録する記録手段と
を有する記録装置。
【請求項５】
映像信号を符号化処理する符号化装置において、
上記映像信号のピクチャに付与されるタイムコードと該タイムコードに対応するピクチャのピクチャタイプデータとをシーケンスデータとして管理するシーケンスリストを、生成する生成手段と、
上記映像信号を再生する際の頭出し点のタイムコードと同じ値のタイムコードが、上記シーケンスリスト中に含まれているかを判定する判定手段と、
上記判定手段により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを上記シーケンスリストに登録する登録手段と、
上記登録手段により登録された上記シーケンスリストに含まれるシーケンスデータを用いて、上記映像信号から上記頭出し点に対応するカットシーケンスを構成し、上記映像信号を符号化処理する符号化手段と
を有する符号化装置。
【請求項６】
映像信号を符号処理して記録媒体に記録する記録装置において、
上記映像信号のピクチャに付与されるタイムコードと該タイムコードに対応するピクチャのピクチャタイプデータとをシーケンスデータとして管理するシーケンスリストを、生成する生成手段と、
上記映像信号を再生する際の頭出し点のタイムコードと同じ値のタイムコードが、上記シーケンスリスト中に含まれているかを判定する判定手段と、
上記判定手段により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを上記シーケンスリストに登録する登録手段と、
上記登録手段により登録された上記シーケンスリストに含まれるシーケンスデータを用いて、上記映像信号から上記頭出し点に対応するカットシーケンスを構成し、上記映像信号を符号化処理する符号化手段と、
上記符号化手段により符号化処理されたデータを記録媒体に記録する記録手段と
を有する記録装置。
【請求項７】
映像信号を符号化処理する符号化装置において、
上記映像信号を再生する際の頭出し点に相当するピクチャの位置に応じてピクチャ毎に予め設定された複数のカットシーケンスパターンの中から、上記頭出し点に相当するピクチャの位置に対応するカットシーケンスパターンを選択する選択手段と、
上記選択手段により選択されたカットシーケンスパターンに従って上記映像信号からカットシーケンスを構成して、上記映像信号を符号化処理する符号化手段と
を有する符号化装置。
【請求項８】
映像信号を符号処理して記録媒体に記録する記録装置において、
上記映像信号を再生する際の頭出し点に相当するピクチャの位置に応じてピクチャ毎に予め設定された複数のカットシーケンスパターンの中から、上記頭出し点に相当するピクチャの位置に対応するカットシーケンスパターンを選択する選択手段と、
上記選択手段により選択されたカットシーケンスパターンに従って上記映像信号からカットシーケンスを構成して、上記映像信号を符号化処理する符号化手段と、
上記符号化手段により符号化処理されたデータを記録媒体に記録する記録手段と
を有する記録装置。
【請求項９】
映像信号を符号化処理する符号化装置において、
上記映像信号を再生する際の頭出し点のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定手段と、
上記判定手段により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを用いて、上記映像信号から上記頭出し点に対応するカットシーケンスを構成し、上記映像信号を符号化処理する符号化手段と
を有する符号化装置。
【請求項１０】
映像信号を符号処理して記録媒体に記録する記録装置において、
上記映像信号を再生する際の頭出し点のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定手段と、
上記判定手段により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを用いて、上記映像信号から上記頭出し点に対応するカットシーケンスを構成し、上記映像信号を符号化処理する符号化手段と、
上記符号化手段により符号化処理されたデータを記録媒体に記録する記録手段と
を有する記録装置。
【請求項１１】
映像信号を符号化処理する符号化方法において、
上記映像信号のＧＯＰ内に、上記映像信号を再生する際の頭出し点があるかを判定する判定工程と、
上記判定工程により上記頭出し点があると判定された場合、上記ＧＯＰ内において上記頭出し点に相当するピクチャの位置を検出する検出工程と、
上記ＧＯＰ内の上記頭出し点に相当するピクチャの位置に応じてピクチャ毎に予め設定された複数のカットシーケンスパターンの中から、上記検出工程により検出された位置に対応するカットシーケンスパターンを選択する選択工程と、
上記選択工程により選択されたカットシーケンスパターンに従って、上記映像信号からカットシーケンスを構成して、上記映像信号を符号化処理する符号化工程と
を有する符号化方法。
【請求項１２】
映像信号を符号処理して記録媒体に記録する記録方法において、
上記映像信号のＧＯＰ内に、上記映像信号を再生する際の頭出し点があるかを判定する判定工程と、
上記判定工程により上記頭出し点があると判定された場合、上記ＧＯＰ内において上記頭出し点に相当するピクチャの位置を検出する検出工程と、
上記ＧＯＰ内の上記頭出し点に相当するピクチャの位置に応じてピクチャ毎に予め設定された複数のカットシーケンスパターンの中から、上記検出工程により検出された位置に対応するカットシーケンスパターンを選択する選択工程と、
上記選択工程により選択されたカットシーケンスパターンに従って上記映像信号のカットシーケンスを構成して、上記映像信号を符号化処理する符号化工程と、
上記符号化工程により符号化処理されたデータを記録媒体に記録する記録工程と
を有する記録方法。
【請求項１３】
映像信号を符号化処理する符号化方法において、
上記映像信号のピクチャに付与されるタイムコードと該タイムコードに対応するピクチャのピクチャタイプデータとをシーケンスデータとして管理するシーケンスリストを、生成する生成工程と、
上記映像信号を再生する際の頭出し点のタイムコードと同じ値のタイムコードが、上記シーケンスリスト中に含まれているかを判定する判定工程と、
上記判定工程により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを上記シーケンスリストに登録する登録工程と、
上記登録工程により登録された上記シーケンスリストに含まれるシーケンスデータを用いて、上記映像信号から上記頭出し点に対応するカットシーケンスを構成し、上記映像信号を符号化処理する符号化工程と
を有する符号化方法。
【請求項１４】
映像信号を符号処理して記録媒体に記録する記録方法において、
上記映像信号のピクチャに付与されるタイムコードと該タイムコードに対応するピクチャのピクチャタイプデータとをシーケンスデータとして管理するシーケンスリストを、生成する生成工程と、
上記映像信号を再生する際の頭出し点のタイムコードと同じ値のタイムコードが、上記シーケンスリスト中に含まれているかを判定する判定工程と、
上記判定工程により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを上記シーケンスリストに登録する登録工程と、
上記登録工程により登録された上記シーケンスリストに含まれるシーケンスデータを用いて、上記映像信号から上記頭出し点に対応するカットシーケンスを構成し、上記映像信号を符号化処理する符号化工程と、
上記符号化工程により符号化処理されたデータを記録媒体に記録する記録工程と
を有する記録方法。
【請求項１５】
映像信号を符号化処理する符号化方法において、
上記映像信号を再生する際の頭出し点に相当するピクチャの位置に応じてピクチャ毎に予め設定された複数のカットシーケンスパターンの中から、上記頭出し点に相当するピクチャの位置に対応するカットシーケンスパターンを選択する選択工程と、
上記選択工程により選択されたカットシーケンスパターンに従って上記映像信号からカットシーケンスを構成して、上記映像信号を符号化処理する符号化工程と
を有する符号化方法。
【請求項１６】
映像信号を符号処理して記録媒体に記録する記録方法において、
上記映像信号を再生する際の頭出し点に相当するピクチャの位置に応じてピクチャ毎に予め設定された複数のカットシーケンスパターンの中から、上記頭出し点に相当するピクチャの位置に対応するカットシーケンスパターンを選択する選択工程と、
上記選択工程により選択されたカットシーケンスパターンに従って上記映像信号からカットシーケンスを構成して、上記映像信号を符号化処理する符号化工程と、
上記符号化工程により符号化処理されたデータを記録媒体に記録する記録工程と
を有する記録方法。
【請求項１７】
映像信号を符号化処理する符号化方法において、
上記映像信号を再生する際の頭出し点のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定工程と、
上記判定工程により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを用いて、上記映像信号から上記頭出し点に対応するカットシーケンスを構成し、上記映像信号を符号化処理する符号化工程と
を有する符号化方法。
【請求項１８】
映像信号を符号処理して記録媒体に記録する記録方法において、
上記映像信号を再生する際の頭出し点のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定工程と、
上記判定工程により含まれていると判定された場合は、上記頭出し点に相当するピクチャの位置を検出し、上記頭出し点に相当するピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを用いて、上記映像信号から上記頭出し点に対応するカットシーケンスを構成し、上記映像信号を符号化処理する符号化工程と、
上記符号化工程により符号化処理されたデータを記録媒体に記録する記録工程と
を有する記録方法。
【請求項１９】
映像信号を符号化処理する符号化装置において、
上記映像信号のＧＯＰ内に、上記映像信号の所定位置において指定されたカットがあるかを判定する判定手段と、
上記判定手段により上記カットがあると判定された場合、上記ＧＯＰ内において上記カット直後のピクチャの位置を検出する検出手段と、
上記ＧＯＰ内の上記カット直後のピクチャの位置に応じてピクチャ毎に予め設定された複数のカットシーケンスパターンの中から、上記検出手段により検出された位置に対応するカットシーケンスパターンを選択する選択手段と、
上記選択手段により選択されたカットシーケンスパターンに従って、上記映像信号からカットシーケンスを構成して、上記映像信号を符号化処理する符号化手段と
を有する符号化装置。
【請求項２０】
映像信号を符号処理して記録媒体に記録する記録装置において、
上記映像信号のＧＯＰ内に、上記映像信号の所定位置において指定されたカットがあるかを判定する判定手段と、
上記判定手段により上記カットがあると判定された場合、上記ＧＯＰ内において上記カット直後のピクチャの位置を検出する検出手段と、
上記ＧＯＰ内の上記カット直後のピクチャの位置に応じてピクチャ毎に予め設定された複数のカットシーケンスパターンの中から、上記検出手段により検出された位置に対応するカットシーケンスパターンを選択する選択手段と、
上記選択手段により選択されたカットシーケンスパターンに従って上記映像信号のカットシーケンスを構成して、上記映像信号を符号化処理する符号化手段と、
上記符号化手段により符号化処理されたデータを記録媒体に記録する記録手段と
を有する記録装置。
【請求項２１】
映像信号を符号化処理する符号化装置において、
上記映像信号のピクチャに付与されるタイムコードと該タイムコードに対応するピクチャのピクチャタイプデータとをシーケンスデータとして管理するシーケンスリストを、生成する生成手段と、
上記映像信号の所定位置において指定されたカット直後のタイムコードと同じ値のタイムコードが、上記シーケンスリスト中に含まれているかを判定する判定手段と、
上記判定手段により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを上記シーケンスリストに登録する登録手段と、
上記登録手段により登録された上記シーケンスリストに含まれるシーケンスデータを用いて、上記映像信号から上記カットに対応するカットシーケンスを構成し、上記映像信号を符号化処理する符号化手段と
を有する符号化装置。
【請求項２２】
映像信号を符号処理して記録媒体に記録する記録装置において、
上記映像信号のピクチャに付与されるタイムコードと該タイムコードに対応するピクチャのピクチャタイプデータとをシーケンスデータとして管理するシーケンスリストを、生成する生成手段と、
上記映像信号の所定位置において指定されたカット直後のタイムコードと同じ値のタイムコードが、上記シーケンスリスト中に含まれているかを判定する判定手段と、
上記判定手段により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを上記シーケンスリストに登録する登録手段と、
上記登録手段により登録された上記シーケンスリストに含まれるシーケンスデータを用いて、上記映像信号から上記カットに対応するカットシーケンスを構成し、上記映像信号を符号化処理する符号化手段と、
上記符号化手段により符号化処理されたデータを記録媒体に記録する記録手段と
を有する記録装置。
【請求項２３】
映像信号を符号化処理する符号化装置において、
上記映像信号の所定位置において指定されたカット直後のピクチャの位置に応じてピクチャ毎に予め設定された複数のカットシーケンスパターンの中から、上記カット直後のピクチャの位置に対応するカットシーケンスパターンを選択する選択手段と、
上記選択手段により選択されたカットシーケンスパターンに従って上記映像信号からカットシーケンスを構成して、上記映像信号を符号化処理する符号化手段と
を有する符号化装置。
【請求項２４】
映像信号を符号処理して記録媒体に記録する記録装置において、
上記映像信号の所定位置において指定されたカット直後のピクチャの位置に応じてピクチャ毎に予め設定された複数のカットシーケンスパターンの中から、上記カット直後のピクチャの位置に対応するカットシーケンスパターンを選択する選択手段と、
上記選択手段により選択されたカットシーケンスパターンに従って上記映像信号からカットシーケンスを構成して、上記映像信号を符号化処理する符号化手段と、
上記符号化手段により符号化処理されたデータを記録媒体に記録する記録手段と
を有する記録装置。
【請求項２５】
映像信号を符号化処理する符号化装置において、
上記映像信号の所定位置において指定されたカット直後のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定手段と、
上記判定手段により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを用いて、上記映像信号から上記カットに対応するカットシーケンスを構成し、上記映像信号を符号化処理する符号化手段と
を有する符号化装置。
【請求項２６】
映像信号を符号処理して記録媒体に記録する記録装置において、
上記映像信号の所定位置において指定されたカット直後のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定手段と、
上記判定手段により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択手段と、
上記選択手段により選択されたカットシーケンスパターンのシーケンスデータを用いて、上記映像信号から上記カットに対応するカットシーケンスを構成し、上記映像信号を符号化処理する符号化手段と、
上記符号化手段により符号化処理されたデータを記録媒体に記録する記録手段と
を有する記録装置。
【請求項２７】
映像信号を符号化処理する符号化方法において、
上記映像信号のＧＯＰ内に、上記映像信号の所定位置において指定されたカットがあるかを判定する判定工程と、
上記判定工程により上記カットがあると判定された場合、上記ＧＯＰ内において上記カット直後のピクチャの位置を検出する検出工程と、
上記ＧＯＰ内の上記カット直後のピクチャの位置に応じてピクチャ毎に予め設定された複数のカットシーケンスパターンの中から、上記検出工程により検出された位置に対応するカットシーケンスパターンを選択する選択工程と、
上記選択工程により選択されたカットシーケンスパターンに従って、上記映像信号からカットシーケンスを構成して、上記映像信号を符号化処理する符号化工程と
を有する符号化方法。
【請求項２８】
映像信号を符号処理して記録媒体に記録する記録方法において、
上記映像信号のＧＯＰ内に、上記映像信号の所定位置において指定されたカットがあるかを判定する判定工程と、
上記判定工程により上記カットがあると判定された場合、上記ＧＯＰ内において上記カット直後のピクチャの位置を検出する検出工程と、
上記ＧＯＰ内の上記カット直後のピクチャの位置に応じてピクチャ毎に予め設定された複数のカットシーケンスパターンの中から、上記検出工程により検出された位置に対応するカットシーケンスパターンを選択する選択工程と、
上記選択工程により選択されたカットシーケンスパターンに従って上記映像信号のカットシーケンスを構成して、上記映像信号を符号化処理する符号化工程と、
上記符号化工程により符号化処理されたデータを記録媒体に記録する記録工程と
を有する記録方法。
【請求項２９】
映像信号を符号化処理する符号化方法において、
上記映像信号のピクチャに付与されるタイムコードと該タイムコードに対応するピクチャのピクチャタイプデータとをシーケンスデータとして管理するシーケンスリストを、生成する生成工程と、
上記映像信号の所定位置において指定されたカット直後のタイムコードと同じ値のタイムコードが、上記シーケンスリスト中に含まれているかを判定する判定工程と、
上記判定工程により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを上記シーケンスリストに登録する登録工程と、
上記登録工程により登録された上記シーケンスリストに含まれるシーケンスデータを用いて、上記映像信号から上記カットに対応するカットシーケンスを構成し、上記映像信号を符号化処理する符号化工程と
を有する符号化方法。
【請求項３０】
映像信号を符号処理して記録媒体に記録する記録方法において、
上記映像信号のピクチャに付与されるタイムコードと該タイムコードに対応するピクチャのピクチャタイプデータとをシーケンスデータとして管理するシーケンスリストを、生成する生成工程と、
上記映像信号の所定位置において指定されたカット直後のタイムコードと同じ値のタイムコードが、上記シーケンスリスト中に含まれているかを判定する判定工程と、
上記判定工程により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを上記シーケンスリストに登録する登録工程と、
上記登録工程により登録された上記シーケンスリストに含まれるシーケンスデータを用いて、上記映像信号から上記カットに対応するカットシーケンスを構成し、上記映像信号を符号化処理する符号化工程と、
上記符号化工程により符号化処理されたデータを記録媒体に記録する記録工程と
を有する記録方法。
【請求項３１】
映像信号を符号化処理する符号化方法において、
上記映像信号の所定位置において指定されたカット直後のピクチャの位置に応じてピクチャ毎に予め設定された複数のカットシーケンスパターンの中から、上記カット直後のピクチャの位置に対応するカットシーケンスパターンを選択する選択工程と、
上記選択工程により選択されたカットシーケンスパターンに従って上記映像信号からカットシーケンスを構成して、上記映像信号を符号化処理する符号化工程と
を有する符号化方法。
【請求項３２】
映像信号を符号処理して記録媒体に記録する記録方法において、
上記映像信号の所定位置において指定されたカット直後のピクチャの位置に応じてピクチャ毎に予め設定された複数のカットシーケンスパターンの中から、上記カット直後のピクチャの位置に対応するカットシーケンスパターンを選択する選択工程と、
上記選択工程により選択されたカットシーケンスパターンに従って上記映像信号からカットシーケンスを構成して、上記映像信号を符号化処理する符号化工程と、
上記符号化工程により符号化処理されたデータを記録媒体に記録する記録工程と
を有する記録方法。
【請求項３３】
映像信号を符号化処理する符号化方法において、
上記映像信号の所定位置において指定されたカット直後のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定工程と、
上記判定工程により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを用いて、上記映像信号から上記カットに対応するカットシーケンスを構成し、上記映像信号を符号化処理する符号化工程と
を有する符号化方法。
【請求項３４】
映像信号を符号処理して記録媒体に記録する記録方法において、
上記映像信号の所定位置において指定されたカット直後のタイムコードと同じ値のタイムコードが、上記映像信号のピクチャに付与されるタイムコードと該タイムコードに対応するピクチャのピクチャタイプデータとをシーケンスデータとして管理するシーケンスリスト中に含まれているかを判定する判定工程と、
上記判定工程により含まれていると判定された場合は、上記カット直後のピクチャの位置を検出し、上記カット直後のピクチャの位置に応じてピクチャ毎に予め設定された複数のカットシーケンスパターンの中から、検出された位置に対応するカットシーケンスパターンを選択する選択工程と、
上記選択工程により選択されたカットシーケンスパターンのシーケンスデータを用いて、上記映像信号から上記カットに対応するカットシーケンスを構成し、上記映像信号を符号化処理する符号化工程と、
上記符号化工程により符号化処理されたデータを記録媒体に記録する記録工程と
を有する記録方法。
【手続補正２】
【補正対象書類名】明細書
【補正対象項目名】００３１
【補正方法】変更
【補正の内容】
【００３１】
主要な発明の内の１つは、映像信号を符号化処理する符号化装置において、上記映像信号のＧＯＰ内に、上記映像信号を再生する際の頭出し点があるかを判定する判定手段と、上記判定手段により上記頭出し点があると判定された場合、上記ＧＯＰ内において上記頭出し点に相当するピクチャの位置を検出する検出手段と、上記ＧＯＰ内の上記頭出し点に相当するピクチャの位置に応じてピクチャ毎に予め設定された複数のカットシーケンスパターンの中から、上記検出手段により検出された位置に対応するカットシーケンスパターンを選択する選択手段と、上記選択手段により選択されたカットシーケンスパターンに従って、上記映像信号からカットシーケンスを構成して、上記映像信号を符号化処理する符号化手段とを有する符号化装置である。